(57)【特許請求の範囲】
【請求項１】
表面、前記表面とは反対側の裏面、および前記表面上に形成された複数の電極を有する半導体チップと、
前記半導体チップが搭載された第１表面、および前記第１表面とは反対側の第１裏面を有するタブと、
第２表面、および前記第２表面とは反対側の第２裏面を有し、前記タブを支持する吊りリードと、
第３表面、および前記第３表面とは反対側の第３裏面を有し、チップ搭載部の周囲に配置された複数のリードと、
前記複数の電極とこれに対応する前記複数のリードとをそれぞれ接続するための複数のワイヤと、
前記半導体チップの表面と同一方向を向いた上面、および前記上面とは反対側の下面を有し、前記半導体チップ、前記タブ、前記吊りリードの一部、および前記複数のリードのそれぞれの一部を封止する封止体と、を有し、
前記タブの外形は、前記半導体チップの外形よりも小さく、
前記半導体チップの裏面の一部は前記封止体と密着しており、
前記複数のリードのそれぞれの第３裏面は、前記封止体の下面より露出しており、前記吊りリードは、前記タブと接続された側とは反対側の端部に前記封止体の下面から露出する露出部を含み、
前記タブの第１表面が前記吊りリードの第２表面よりも高くなるように前記吊りリードはアップセット処理されており、
前記アップセット処理は、平面視において前記半導体チップの外周よりも外側の前記露出部を除いた領域で行われており、
前記タブの第１裏面および前記露出部以外の前記吊りリードの第２裏面が、前記封止体の厚さ方向において、前記露出部の厚さよりも薄くなるように加工されていることを特徴とする半導体装置。
【請求項２】
請求項１に記載の半導体装置において、
前記タブの第１表面の高さは、前記リードの第３表面の高さよりも高いことを特徴とする半導体装置。
【請求項３】
請求項１に記載の半導体装置において、
前記吊りリードの前記露出面以外の部分の厚さは、前記露出面の厚さの約半分程度の厚さとなっていることを特徴とする半導体装置。
【請求項４】
請求項３に記載の半導体装置において、
前記吊りリードの加工は、ハーフエッチング加工もしくはコイニングなどのプレス加工によって行われていることを特徴とする半導体装置。
【請求項５】
請求項１に記載の半導体装置において、
前記タブは、十字形状もしくは円形状になっていることを特徴とする半導体装置。
【発明の詳細な説明】
【０００１】
【発明の属する技術分野】
本発明は、半導体製造技術に関し、特に、温度サイクル性の向上に適用して有効な技術に関する。
【０００２】
【従来の技術】
近年、高密度実装化に伴い、半導体製品の小形化や薄形化が要求されており、このような要求に応える技術として、特開平１１−７４４４０号公報に、半導体チップを搭載するタブがアップセット処理（タブ上げ加工）された樹脂封止形の半導体装置とその製造方法が開示されている。
【０００３】
特開平１１−７４４４０号公報に記載された半導体装置は、封止部の裏面（半導体装置実装側の面）の周縁部に複数のリードが配置されるとともに、吊りリードの曲げによってタブをリードより高い位置に配置して、タブの裏面にも封止用樹脂を周り込ませ、これにより、タブを封止用樹脂内に埋め込む構造のものであり、高信頼性と薄形化の達成を目的とするものである。
【０００４】
【発明が解決しようとする課題】
ところが、前記特開平１１−７４４４０号公報に記載された構造の半導体装置の場合、タブの裏面に封止用樹脂が周り込むものの、タブ上げを吊りリードにおける曲げのみで行っている（アップセット処理）ため、リードとタブの間に段差が生じる分、チップ位置が高くなる。
【０００５】
その結果、前記特開平１１−７４４４０号公報の半導体装置では、薄形化が十分に図れていないことが問題である。
【０００６】
そこで、タブ裏面に配置される封止用樹脂の厚さを薄くするかもしくは無くす構造（例えば、タブ露出構造）とすると、半導体チップの上下の封止用樹脂のバランスであるレジンバランスが悪くなり、このような構造の半導体装置では、温度サイクル時にパッケージクラックが発生するという問題が起こる。
【０００７】
本発明の目的は、パッケージクラックを防止することができる半導体装置を提供することにある。
【０００８】
本発明のその他の目的は、半導体チップ上下のレジンバランスを保ちながら薄形化を図ることができる半導体装置を提供することにある。
【０００９】
本発明の前記ならびにその他の目的と新規な特徴は、本明細書の記述および添付図面から明らかになるであろう。
【００１０】
【課題を解決するための手段】
本願において開示される発明のうち、代表的なものの概要を簡単に説明すれば、以下のとおりである。
【００１１】
本発明の半導体装置は、表面、前記表面とは反対側の裏面、および前記表面上に形成された複数の電極を有する半導体チップと、前記半導体チップが搭載された第１表面、および前記第１表面とは反対側の第１裏面を有するタブと、第２表面、および前記第２表面とは反対側の第２裏面を有し、前記タブを支持する吊りリードと、第３表面、および前記第３表面とは反対側の第３裏面を有し、チップ搭載部の周囲に配置された複数のリードと、前記複数の電極とこれに対応する前記複数のリードとをそれぞれ接続するための複数のワイヤと、前記半導体チップの表面と同一方向を向いた上面、および前記上面とは反対側の下面を有し、前記半導体チップ、前記タブ、前記吊りリードの一部、および前記複数のリードのそれぞれの一部を封止する封止体と、を有し、前記タブの外形は、前記半導体チップの外形よりも小さく、前記半導体チップの裏面の一部は前記封止体と密着しており、前記複数のリードのそれぞれの第３裏面は、前記封止体の下面より露出しており、前記吊りリードは、前記タブと接続された側とは反対側の端部に前記封止体の下面から露出する露出部を含み、前記タブの第１表面が前記吊りリードの第２表面よりも高くなるように前記吊りリードはアップセット処理されており、前記アップセット処理は、平面視において前記半導体チップの外周よりも外側の前記露出部を除いた領域で行われており、前記タブの第１裏面および前記露出部以外の前記吊りリードの第２裏面が、前記封止体の厚さ方向において、前記露出部の厚さよりも薄くなるように加工されているものである。
【００１２】
本発明によれば、封止部におけるタブの裏面側の厚さを厚くでき、これにより、半導体チップの上側（主面側）と下側（裏面側）の封止部の厚さの差を少なくすることができる。その結果、半導体チップの上側と下側の封止用樹脂のバランスであるレジンバランスを良くすることができ、したがって、温度サイクル時に半導体チップの下側の封止部にかかる応力を低減できる。
【００１３】
さらに、半導体チップの裏面の一部が封止用樹脂と密着していることにより、半導体チップの裏面側の封止用樹脂と半導体チップとの密着度を高めることができる。したがって、半導体チップの上下のレジンバランスの向上と、半導体チップの裏面の封止用樹脂との密着度向上とによって温度サイクル時のパッケージクラックの発生を抑えることができ、これにより、温度サイクル性の向上を図ることができる。
【００１９】
【発明の実施の形態】
以下の実施の形態では特に必要なとき以外は同一または同様な部分の説明を原則として繰り返さない。
【００２０】
さらに、以下の実施の形態では便宜上その必要があるときは、複数のセクションまたは実施の形態に分割して説明するが、特に明示した場合を除き、それらはお互いに無関係なものではなく、一方は他方の一部または全部の変形例、詳細、補足説明などの関係にある。
【００２１】
また、以下の実施の形態において、要素の数など（個数、数値、量、範囲などを含む）に言及する場合、特に明示した場合および原理的に明らかに特定の数に限定される場合などを除き、その特定の数に限定されるものではなく、特定の数以上でも以下でも良いものとする。
【００２２】
以下、本発明の実施の形態を図面に基づいて詳細に説明する。なお、実施の形態を説明するための全図において、同一の機能を有する部材には同一の符号を付し、その繰り返しの説明は省略する。
【００２３】
（実施の形態１）
図１は本発明の実施の形態１の半導体装置（ＱＦＮ）の構造の一例を示す外観斜視図、図２は図１に示すＱＦＮの構造を示す底面図、図３は図１に示すＱＦＮの内部構造を封止部および半導体チップを透過して示す平面図、図４は図３に示すＱＦＮの断面の構造を示す図であり、（ａ）は図３のＡ−Ａ線に沿った断面の断面図、（ｂ）は図３のＢ−Ｂ線に沿った断面の断面図、図５は図１に示すＱＦＮの組み立てに用いられるリードフレームの一例であるマトリクスフレームの構造を示す平面図、図６は図５のＣ部の構造を示す拡大部分平面図、図７（ａ),（ｂ),（ｃ),（ｄ),（ｅ) は図１に示すＱＦＮの組み立てにおける主要工程ごとの構造の一例を示す断面フロー図、図８は図７に示すＱＦＮの組み立てにおけるダイボンディング方法の一例を示す部分断面図である。
【００２４】
本実施の形態１の半導体装置は、図１、図２に示すように、外部接続用の端子としてリード２の一部が前記半導体装置の封止部（樹脂体）１２の裏面（半導体装置実装側の面）１２ａの周縁部に露出する構造を有する面実装形のＱＦＮ（Quad Flat Non-leaded Package) １であり、このような構造の半導体装置は、ペリフェラル形と呼ばれる。
【００２５】
なお、ＱＦＮ１は、銅系や鉄系からなる任意の形状に加工された薄板を備えており、この薄板は、図３、図５、図６に示すように中央部に４本の吊りリード（支持リード）４によって支持されたタブ（チップ搭載部）５と、タブ５の周囲近傍にタブ５を囲むように配置された複数のリード２とを有している。
【００２６】
図１〜図４を用いて、本実施の形態１のＱＦＮ１の詳細の構造について説明すると、半導体チップ８を支持し、かつ半導体チップ８より小さなタブ５と、半導体チップ８が樹脂封止されて形成された封止部１２と、タブ５を支持する支持部４ａとこれに繋がり封止部１２の裏面１２ａに露出する露出部４ｂとを備え、かつ支持部４ａでアップセット処理（タブ上げのための曲げ加工）された吊りリード４と、タブ５の周囲に配置され、かつ封止部１２の裏面１２ａに露出する複数のリード２と、半導体チップ８の表面電極であるパッド（ボンディングパッド）７とこれに対応するリード２とを接続する金属細線であるワイヤ（ボンディングワイヤ）１０とからなり、タブ５および吊りリード４の支持部４ａが露出部４ｂやリード２より薄く形成されるとともに、半導体チップ８の主面８ａと反対側の面である裏面８ｂの一部が封止用樹脂１１と密着しているものである。
【００２７】
すなわち、図４（ｂ）に示すように、タブ５と吊りリード４の支持部４ａの裏面側が、吊りリード４の端部である露出部４ｂや各リード２の約半分程度の厚さとなっており、さらに、吊りリード４の支持部４ａで曲げ加工によるタブ上げ加工が施され、これによって、図４（ａ）に示すように、タブ５の高さ方向の位置が、各リード２の位置より高く配置されている。
【００２８】
その結果、ＱＦＮ１は、封止部１２の裏面１２ａにおいてタブ５が露出しないタブ埋め込み構造のものであり、図４（ｂ）に示すように、半導体チップ８の厚さ（Ｌ）を薄くすることなく、パッケージ厚を薄く設定することができ、さらに、タブ上（半導体チップ８上）レジン厚（Ｍ）とタブ下レジン厚（Ｎ）の差を小さくするものである。
【００２９】
したがって、ＱＦＮ１は、封止部１２において半導体チップ８の主面８ａ側の封止用樹脂１１の量と半導体チップ８の裏面８ｂ側の封止用樹脂１１の量との差が少なくなる構造としている。
【００３０】
なお、タブ５と吊りリード４の支持部４ａの裏面側の厚さを、吊りリード４の露出部４ｂや各リード２の約半分程度の厚さに薄くする加工は、ハーフエッチング加工によって行うことが好ましいが、ただし、ハーフエッチング加工以外の、例えば、コイニングなどのプレス加工で行ってもよい。
【００３１】
また、タブ５の高さ方向の位置を各リード２の位置より高く配置する支持部４ａでの曲げ加工をアップセット処理と呼ぶ。
【００３２】
すなわち、吊りリード４は、支持部４ａにおいて、その端部である露出部４ｂの露出面４ｃから離れる方向（ＱＦＮ１の封止部１２の裏面１２ａと反対の表面方向）に変形されており、これによって、タブ５が、吊りリード４の露出部４ｂや各リード２の位置より高い箇所に配置されている。
【００３３】
なお、吊りリード４の支持部４ａにおいて前記アップセット処理が行われたアップセット処理部を段差部６とする。
【００３４】
さらに、本実施の形態１のＱＦＮ１では、図３および図４（ｂ）に示すように、４つの吊りリード４のそれぞれの支持部４ａにおいて、半導体チップ８の外側箇所でアップセット処理すなわちタブ上げのための曲げ加工が施されている。
【００３５】
つまり、吊りリード４の支持部４ａにおける段差部６が、半導体チップ８の下部領域ではなく、半導体チップ８の外側領域に形成されている。
【００３６】
また、ＱＦＮ１では、タブ５が、半導体チップ８より小さなチップ支持面５ａを有しており、本実施の形態１のタブ５は、図６に示すようなチップ支持面５ａが十字形を成すクロスタブであり、これを小タブとも呼ぶ。
【００３７】
すなわち、図３、図４（ａ）に示すように、半導体チップ８の裏面８ｂの面積よりタブ５のチップ支持面５ａの面積の方が確実に小さいため、半導体チップ８の裏面８ｂの周縁部がタブ５より水平方向に突出し、これにより、半導体チップ８の裏面８ｂの周縁部（一部）と封止用樹脂１１とが密着している。
【００３８】
また、半導体チップ８の主面８ａには、マイコン、ＡＳＩＣ（Application Specific Integrated Circuit)、ゲートアレイ、システムＬＳＩ（Large Scale Integration)、メモリなどの所定の半導体集積回路や、これら半導体集積回路の外部端子となるアルミニウムなどからなる複数のパッド７が形成されている。
【００３９】
さらに、この半導体チップ８が、半導体集積回路を上方に向けた状態で導電性ペーストまたは非導電性フィルムなどのダイボンディング材である接着剤９によってタブ５のチップ支持面５ａに固定されている。
【００４０】
この半導体チップ８の各パッド７は、金（Ａｕ）やアルミニウム（Ａｌ）などからなる導電性の金属細線であるワイヤ１０によって、各パッド７に対応するリード２の一主面と接続されている。
【００４１】
また、半導体チップ８、ワイヤ１０、タブ５、露出部４ｂの露出面４ｃを除く吊りリード４およびリード２（上面部および側面部）は、保護、耐湿性の向上を目的に、例えば、熱硬化性のエポキシ樹脂などの封止用樹脂１１によって形成された封止部１２により封止されている。ただし、それぞれのリード２の下面部（他の主面）は、ＱＦＮ１の外部接続用の端子として封止部１２の裏面１２ａの周縁部に露出して配置されている。
【００４２】
なお、耐湿性の向上およびＱＦＮ１を実装基板へ実装する際の実装性の向上を目的に封止部１２の裏面１２ａに露出されるリード２の下面部にはＰｂ−Ｓｎ系半田による半田メッキ処理などの外装処理が施されている。
【００４３】
以下、前記外装処理によって形成された薄膜を、図４（ａ）に示すメッキ部１３と称する。なお、前記外装処理は、Ｓｎ−Ａｇ系、Ｓｎ−Ｚｎ系などのＰｂフリー半田によるメッキ処理でも良く、また、メッキ部１３の厚さは、例えば、１０μｍ程度である。
【００４４】
次に、本実施の形態１のＱＦＮ１の製造方法を図７に示す断面フロー図にしたがって、図１〜図８を用いて説明する。
【００４５】
まず、半導体チップ８を支持可能で、かつ半導体チップ８より小さなタブ５と、タブ５を支持する支持部４ａおよびこれに繋がる露出部４ｂからなるとともに支持部４ａでアップセット処理された吊りリード４と、タブ５の周囲に配置された複数のリード２とを有し、タブ５および支持部４ａがリード２や露出部４ｂより薄く形成されたリードフレームである図５に示すマトリクスリードフレーム１４を準備する。
【００４６】
すなわち、図５および図６に示すそれぞれの単位リードフレーム１５の吊りリード４において、その支持部４ａで、露出部４ｂの露出面４ｃから離れる方向に曲げ変形されている。
【００４７】
つまり、各単位リードフレーム１５においてタブ上げ加工が施されている。
【００４８】
さらに、タブ５およびこれを支持する吊りリード４の支持部４ａが、ハーフエッチングによって吊りリード４の露出部４ｂより薄く加工されている。ただし、コイニングによるプレス加工によって薄く形成されたものであってもよい。
【００４９】
また、タブ５は、そのチップ支持面５ａが、半導体チップ８より確実に小さいものである。
【００５０】
ここで、マトリクスリードフレーム１４は、銅系や鉄系からなる金属板をエッチングによってパターンニングすることによって形成される。図５に示すようにマトリクスリードフレーム１４には、ＱＦＮ１の１個分に相当する領域である単位リードフレーム１５が一定の間隔で、例えば、長手方向に５列、短辺方向に２列の合計１０個マトリクス配置で形成されている。
【００５１】
また、それぞれの単位リードフレーム１５の周縁には、図６に示すように、製造工程内でマトリクスリードフレーム１４に加わる応力を緩和するためのスリットである応力緩和スリット１６が形成され、さらに、マトリクスリードフレーム１４の長辺には、製造工程で保持や位置合わせ用のピンの案内となるガイド孔１７が形成されている。
【００５２】
また、単位リードフレーム１５の中央部には、４本の吊りリード４によって支持されたタブ５があり、タブ５の周縁近傍にはタブ５を囲むように複数のリード２が延在し、これらは枠部１４ａによって支持されている。
【００５３】
次に、図７（ａ）に示すように、タブ５と半導体チップ８の裏面８ｂの中央部（一部）とを接合するダイボンディングを行う。
【００５４】
その際、マトリクスリードフレーム１４の各タブ５に導電性ペースト、非導電性ペーストまたは非導電性フィルムなどの接着剤９によって半導体チップ８を固着する。
【００５５】
まず、吊りリード４の支持部４ａの段差部６（アップセット処理部）を図８に示すボンディングステージ３の外側に配置する。すなわち、４つの吊りリード４は、それぞれの支持部４ａにおいて、半導体チップ８の外側箇所でタブ上げのための曲げ加工（アップセット処理）が施されている。
【００５６】
つまり、吊りリード４の支持部４ａにおける段差部６が、半導体チップ８の下部領域ではなく、半導体チップ８の外側領域に形成されているため、図８に示すように、半導体チップ８より大きなステージ面３ａを備えたボンディングステージ３を使用することができ、このボンディングステージ３のステージ面３ａによって半導体チップ８とタブ５と吊りリード４とを確実に支持できる。
【００５７】
続いて、ボンディングステージ３によってタブ５および吊りリード４の一部、すなわちタブ５と吊りリード４の支持部４ａにおける段差部６より内側箇所とを支持した状態でタブ５と半導体チップ８とを接着剤９によって接合（ダイボンディング）する。
【００５８】
その後、図７（ｂ）に示すように、半導体チップ８の各パッド７とこれに対応するリード２とをＡｕなどからなる導電性のワイヤ１０（金属細線）によって接続する。すなわち、ワイヤ１０を用いてワイヤボンディングを行う。
【００５９】
その後、図７（ｃ）に示すように、半導体チップ８、ワイヤ１０、タブ５、露出部４ｂの露出面４ｃを除く吊りリード４（図４（ｂ）参照）およびリード２の上面および側面領域をトランスファーモールド法によりエポキシ樹脂やシリコン樹脂などの封止用樹脂１１によって樹脂封止する。
【００６０】
なお、タブ５が半導体チップ８より小さいことにより、半導体チップ８の側面がタブ５より突出しており、したがって、モールド時には、半導体チップ８の側面に接触する封止用樹脂１１をタブ５のチップ支持面５ａ側からその反対の面側すなわち裏面５ｂ側に回り込ませることができる。
【００６１】
これにより、図４（ａ）に示すように、半導体チップ８の裏面８ｂの周縁部（一部）を封止用樹脂１１と密着させることができ、さらに、封止部１２の裏面１２ａに複数のリード２および吊りリード４の露出部４ｂの露出面４ｃを配置して封止部１２を形成できる。
【００６２】
その後、図７（ｄ）に示すように、耐湿性向上およびＱＦＮ１を実装基板へ実装する際の実装性の向上を目的に封止部１２の裏面１２ａに露出するリード２の外装処理を行う。前記外装処理は、Ｐｂ−Ｓｎ系半田による半田メッキ処理が好ましいが、Ｓｎ−Ａｇ系、Ｓｎ−Ｚｎ系などのＰｂフリー半田によるメッキ処理でも良い。また、前記外装処理によるメッキ部１３の厚さを１０μｍ程度とすることにより、ＱＦＮ１において、メッキ部１３の厚さ分のスタンドオフを確保できる。
【００６３】
その後、図７（ｅ）に示すように、マトリクスリードフレーム１４の各単位リードフレーム１５において、各封止部１２よりやや外側の位置で各リード２および吊りリード４を切断する。
【００６４】
これにより、図４（ｂ）に示すように、吊りリード４の露出部４ｂで吊りリード４を分割するとともに、複数のリード２をマトリクスリードフレーム１４の枠部１４ａから分離し、その結果、図１に示すようなＱＦＮ１を取得できる。
【００６５】
なお、前記した製造方法では、半田メッキ処理による外装処理を説明したが、これに限定されるものではなく、予め、半導体装置から露出されるリード領域にＰｄメッキ処理などの外装処理を行ったマトリクスリードフレーム１４を用意しても良い。この場合、ＱＦＮ１の製造工程で外装処理を行う必要がないため工程数が減少し、生産性を向上できる。
【００６６】
本実施の形態１のＱＦＮ１およびその製造方法によれば、以下のような作用効果を得ることができる。
【００６７】
すなわち、タブ５および吊りリード４の支持部４ａが露出部４ｂより薄く形成され、かつ吊りリード４がその支持部４ａでアップセット処理（タブ上げ加工）されていることにより、封止部１２におけるタブ５の裏面５ｂ側の厚さ（図４（ｂ）に示す厚さ（Ｎ））を厚くできる。
【００６８】
これにより、半導体チップ８の上側（主面８ａ側）と下側（裏面８ｂ側）の封止部１２の厚さの差を少なくすることができる。
【００６９】
つまり、図４（ｂ）に示すように、タブ上レジン厚（Ｍ）とタブ下レジン厚（Ｎ）の差を小さくすることができる。
【００７０】
その結果、半導体チップ８の上側と下側の封止用樹脂１１のバランスであるレジンバランスを良くすることができ、したがって、温度サイクル時に半導体チップ８の下側の封止部１２にかかる応力を低減できる。
【００７１】
さらに、半導体チップ８の裏面８ｂが封止用樹脂１１と密着していることにより、半導体チップ８の裏面８ｂ側の封止用樹脂１１と半導体チップ８との密着度を高めることができる。
【００７２】
したがって、半導体チップ８の上下のレジンバランスの向上と、半導体チップ８の裏面８ｂの封止用樹脂１１との密着度向上とによって温度サイクル時のパッケージクラックの発生を抑えることができ、これにより、温度サイクル性の向上を図ることができる。
【００７３】
さらに、本実施の形態１のタブ５のように、半導体チップ８の裏面８ｂの一部、例えば、周縁部が封止用樹脂１１と密着するような形状のタブ５であることにより、半導体チップ８の裏面８ｂに配置される封止用樹脂１１の量を増やすことができる。
【００７４】
これにより、半導体チップ８の上下のレジンバランスの向上をさらに図ることができ、温度サイクル性の向上を図ることができる。
【００７５】
なお、タブ５の大きさが半導体チップ８より小さいことにより、封止部１２がタブ５によってその上側と下側とで分断されずに半導体チップ８の側面から裏面８ｂに亘って密着した状態を形成することができる。
【００７６】
その結果、さらに温度サイクル性の向上を図ることができる。
【００７７】
また、タブ５および吊りリード４の支持部４ａが薄く形成され、かつ吊りリード４がその支持部４ａでアップセット処理（タブ上げ加工）されていることにより、半導体チップ８の高さ方向の位置を前記アップセット処理のみを行った場合と同じ位置として半導体チップ８の上下のレジンバランスを向上させることができる。
【００７８】
したがって、半導体チップ８の上下のレジンバランスを保った状態でＱＦＮ１の薄形化を図ることができる。
【００７９】
また、本実施の形態１のＱＦＮ１では、吊りリード４の支持部４ａにおける段差部６が、半導体チップ８の下部領域ではなく、半導体チップ８の外側領域に形成されているため、図８に示すように、半導体チップ８より大きなステージ面３ａを備えたボンディングステージ３を使用することができる。
【００８０】
これにより、ダイボンディング時に、ボンディングステージ３のステージ面３ａによって半導体チップ８とタブ５と吊りリード４とを確実に支持でき、したがって、ＱＦＮ１の組み立て性を向上できる。
【００８１】
また、本実施の形態１のＱＦＮ１では、吊りリード４の段差部６が、半導体チップ８の外側領域に形成されているため、封止部１２における吊りリード４の支持部４ａおよびタブ５の下部領域の封止用樹脂１１の体積を大きくすることができる。
【００８２】
したがって、樹脂封止の際に、吊りリード４およびタブ５の下部領域に流れ込む封止用樹脂１１がその上部領域の封止用樹脂１１に追従し易いため、樹脂封止時のレジン流動性を向上できる。
【００８３】
その結果、ＱＦＮ１の品質および信頼性を向上できる。
【００８４】
さらに、半導体チップ８および吊りリード４の上下のレジン流動性が良いため、前記上下におけるレジン流動性の差が少なく、したがって、タブ５の上下方向の位置が変動しにくい。
【００８５】
したがって、ＱＦＮ１におけるタブロケーションの安定化を図ることができ、ＱＦＮ１の品質を向上できる。
【００８６】
（実施の形態２）
図９は本発明の実施の形態２の半導体装置（ＱＦＮ）の構造の一例を示す外観斜視図、図１０は図９に示すＱＦＮの内部構造を封止部および半導体チップを透過して示す平面図、図１１は図１０に示すＱＦＮの断面の構造を示す図であり、（ａ）は図１０のＤ−Ｄ線に沿った断面の断面図、（ｂ）は図１０のＥ−Ｅ線に沿った断面の断面図である。
【００８７】
図９に示す本実施の形態２のＱＦＮ１８は、実施の形態１で説明したＱＦＮ１とほぼ同様のものであるため、ここでは、その特徴部分のみについて説明し、実施の形態１との重複部分の説明については省略する。
【００８８】
ＱＦＮ１８は、図１１（ｂ）に示すように、吊りリード４が、その支持部４ａにおいて半導体チップ８の下部でアップセット処理（タブ上げのための曲げ加工）されているものである。
【００８９】
すなわち、吊りリード４の支持部４ａのタブ５の直ぐ近傍においてアップセット処理が行われたものであり、これにより、支持部４ａのアップセット処理部である段差部６が半導体チップ８の裏面８ｂの下部に配置されている。
【００９０】
なお、ＱＦＮ１８のその他の構造は、実施の形態１で説明したＱＦＮ１と同様である。
【００９１】
本実施の形態２のＱＦＮ１８の組み立てでは、樹脂封止の際に、図１１（ｂ）に示すように、半導体チップ８の裏面８ｂの中央部の外側箇所（一部）と吊りリード４の支持部４ａとの隙間に封止用樹脂１１が入り込み、その結果、支持部４ａおよびその段差部６上で封止用樹脂１１と半導体チップ８の裏面８ｂとを密着させることができる。
【００９２】
なお、支持部４ａの段差部６が、半導体チップ８の裏面８ｂの周縁部に対応した箇所に形成されている場合は、支持部４ａの段差部６上で封止用樹脂１１と半導体チップ８の裏面８ｂとが密着する構造となる。
【００９３】
本実施の形態２のＱＦＮ１８によれば、少なくとも吊りリード４の支持部４ａの段差部６上で半導体チップ８の裏面８ｂと封止用樹脂１１とを密着させることができ、これにより、半導体チップ８の裏面８ｂと封止用樹脂１１との密着面積を増やすことができる。
【００９４】
その結果、ＱＦＮ１８の耐リフロークラック性を向上できる。
【００９５】
なお、ＱＦＮ１８およびその製造方法によって得られるその他の効果については、実施の形態１のＱＦＮ１と同様であるため、その重複説明は省略する。
【００９６】
（実施の形態３）
図１２は本発明の実施の形態３の半導体装置（ＱＦＮ）の構造の一例を示す外観斜視図、図１３は図１２に示すＱＦＮの内部構造を封止部および半導体チップを透過して示す平面図、図１４は図１３に示すＱＦＮの断面の構造を示す図であり、（ａ）は図１３のＦ−Ｆ線に沿った断面の断面図、（ｂ）は図１３のＧ−Ｇ線に沿った断面の断面図である。
【００９７】
図１２に示す本実施の形態３のＱＦＮ１９は、実施の形態１で説明したＱＦＮ１とほぼ同様のものであるため、ここでは、その特徴部分のみについて説明し、実施の形態１との重複部分の説明については省略する。
【００９８】
ＱＦＮ１９は、図１４（ａ）に示すように、それぞれのリード２が、封止部１２の裏面１２ａに露出し、かつ厚さ方向に対して段差を形成する肉厚部２ａと、これより薄く、かつ内側に向かって延在する肉薄部２ｂとを有している。
【００９９】
すなわち、封止部１２の裏面１２ａの周縁部に配置される各リード２に、肉厚部２ａと肉薄部２ｂとが設けられ、そのうち肉厚部２ａの一面（下面）が封止部１２の裏面１２ａの周縁部に露出するとともに、肉薄部２ｂが封止用樹脂１１によって覆われている。
【０１００】
つまり、リード２には、封止部１２の裏面１２ａに露出する肉厚部２ａに比べて厚さの薄い肉薄部２ｂが形成されており、そのうち、ワイヤ１０が接続される肉薄部２ｂは、封止部１２に埋め込まれてインナリードの役割を成し、一方、肉厚部２ａは、その封止部１２の裏面１２ａに露出する面がアウタリードの役割を成す。
【０１０１】
その際、それぞれのリード２の肉薄部２ｂは、半導体チップ８に向かってパッケージ内側に延在している。
【０１０２】
なお、ＱＦＮ１９のリード２における肉厚部２ａと肉薄部２ｂとによる段差の加工（肉薄部２ｂを形成する加工）は、例えば、ハーフエッチング加工あるいはコイニングなどのプレス加工によって行うことができる。
【０１０３】
本実施の形態３のＱＦＮ１９およびその製造方法によれば、リード２に段差すなわち肉薄部２ｂと肉厚部２ａとが設けられ、そのうち肉薄部２ｂが封止部１２に埋め込まれることにより、リード２のＱＦＮ高さ方向における封止部１２からの脱落を防ぐことができ、その結果、リード２の封止部１２からの引き抜き防止を図ることができる。
【０１０４】
さらに、リード２に、パッケージ内側に向けて延在する肉薄部２ｂが形成されたことにより、ＱＦＮ１９の大きさが大きくなった場合あるいは半導体チップ８が小さくなった場合もしくはその両者の場合に、ワイヤ１０の長さを長くすることなくＱＦＮ１９を実現できる。
【０１０５】
なお、ＱＦＮ１９およびその製造方法によって得られるその他の効果については、実施の形態１のＱＦＮ１と同様であるため、その重複説明は省略する。
【０１０６】
以上、本発明者によってなされた発明を発明の実施の形態に基づき具体的に説明したが、本発明は前記発明の実施の形態に限定されるものではなく、その要旨を逸脱しない範囲で種々変更可能であることは言うまでもない。
【０１０７】
例えば、前記実施の形態１〜３では、タブ５の形として十字形のものを説明したが、タブ５の形状は、特に限定されるものではなく、図１５に示す変形例のような円形であってもよい。
【０１０８】
図１５に示す円形のタブ５においても、半導体装置の温度サイクル性を向上できる。
【０１０９】
また、前記実施の形態１〜３では、タブ５が、半導体チップ８より小さな場合を説明したが、図１６および図１７に示す変形例のように、半導体チップ８より大きなものであってもよい。
【０１１０】
図１６に示す変形例のタブ５は、そのチップ支持面５ａの大きさが半導体チップ８より大きく、かつそのチップ支持面５ａに、細長いスリット状の４つの貫通孔５ｃが十字形に配置されて形成されている。
【０１１１】
また、図１７に示す変形例のタブ５は、そのチップ支持面５ａの外周の大きさが半導体チップ８より大きく、かつそのチップ支持面５ａの中央部に四角形の貫通孔５ｃが形成され、これにより、チップ支持面５ａが枠状となっている。
【０１１２】
図１６および図１７に示す変形例のタブ５を備えたマトリクスリードフレーム１４（図５参照）によれば、タブ５のチップ支持面５ａに貫通孔５ｃが形成されているため、半導体チップ８の裏面８ｂと封止用樹脂１１との密着面積をさらに増やすことができるとともに、タブ５の下部に配置される封止用樹脂１１の量を増加できる。
【０１１３】
これにより、半導体装置の温度サイクル性を向上できる。
【０１１４】
したがって、本発明の半導体装置のタブ５は、半導体チップ８の裏面８ｂの一部とその下部に配置される封止用樹脂１１とを密着させることが可能な形状であれば、チップ支持面５ａの外形の大きさは、半導体チップ８より小さくても、あるいは大きくてもよい。
【０１１５】
なお、前記実施の形態１〜３では、リードフレームがマトリクスリードフレーム１４の場合について説明したが、前記リードフレームは、単位リードフレーム１５を１列に配置した短冊状の多連のものであってもよい。
【０１１６】
また、前記実施の形態１〜３では、半導体装置がＱＦＮ１，１８，１９の場合について説明したが、前記半導体装置は、モールドによる樹脂封止形で、かつリードフレームを用いて組み立てるペリフェラル形のものであれば、ＱＦＮ以外のものであってもよい。
【０１１７】
【発明の効果】
本願において開示される発明のうち、代表的なものによって選られる効果を簡単に説明すれば以下のとおりである。
【０１１８】
（１）．タブおよび吊りリードの支持部が露出部より薄く形成され、かつ吊りリードがその支持部でアップセット処理されていることにより、半導体チップの上側と下側の封止部の厚さの差を少なくすることができる。その結果、半導体チップの上側と下側のレジンバランスを良くすることができ、したがって、温度サイクル時に半導体チップの下側の封止部にかかる応力を低減できる。
【０１１９】
（２）．半導体チップの裏面の一部が封止用樹脂と密着していることにより、半導体チップとその裏面側の封止用樹脂との密着度を高めることができる。したがって、前記（１）による半導体チップの上下のレジンバランスの向上と、半導体チップの裏面の封止用樹脂との密着度向上とによって温度サイクル時のパッケージクラックの発生を抑えることができ、これにより、温度サイクル性の向上を図ることができる。
【０１２０】
（３）．半導体チップの裏面の一部が封止用樹脂と密着するような形状のタブであることにより、半導体チップの裏面に配置される封止用樹脂の量を増やすことができる。これにより、温度サイクル性の向上を図ることができる。
【０１２１】
（４）．タブの大きさが半導体チップより小さいことにより、封止部がタブによってその上側と下側とで分断されずに半導体チップの側面から裏面に亘って密着した状態を形成することができ、その結果、さらに温度サイクル性の向上を図ることができる。
【０１２２】
（５）．タブおよび吊りリードの支持部が薄く形成され、かつ吊りリードがその支持部でアップセット処理されていることにより、半導体チップの上下のレジンバランスを保った状態で半導体装置の薄形化を図ることができる。
【図面の簡単な説明】
【図１】本発明の実施の形態１の半導体装置（ＱＦＮ）の構造の一例を示す外観斜視図である。
【図２】図１に示すＱＦＮの構造を示す底面図である。
【図３】図１に示すＱＦＮの内部構造を封止部および半導体チップを透過して示す平面図である。
【図４】（ａ),（ｂ）は図３に示すＱＦＮの断面の構造を示す図であり、（ａ）は図３のＡ−Ａ線に沿った断面の断面図、（ｂ）は図３のＢ−Ｂ線に沿った断面の断面図である。
【図５】図１に示すＱＦＮの組み立てに用いられるリードフレームの一例であるマトリクスフレームの構造を示す平面図である。
【図６】図５のＣ部の構造を示す拡大部分平面図である。
【図７】（ａ),（ｂ),（ｃ),（ｄ),（ｅ) は図１に示すＱＦＮの組み立てにおける主要工程ごとの構造の一例を示す断面フロー図である。
【図８】図７に示すＱＦＮの組み立てにおけるダイボンディング方法の一例を示す部分断面図である。
【図９】本発明の実施の形態２の半導体装置（ＱＦＮ）の構造の一例を示す外観斜視図である。
【図１０】図９に示すＱＦＮの内部構造を封止部および半導体チップを透過して示す平面図である。
【図１１】（ａ),（ｂ）は図１０に示すＱＦＮの断面の構造を示す図であり、（ａ）は図１０のＤ−Ｄ線に沿った断面の断面図、（ｂ）は図１０のＥ−Ｅ線に沿った断面の断面図である。
【図１２】本発明の実施の形態３の半導体装置（ＱＦＮ）の構造の一例を示す外観斜視図である。
【図１３】図１２に示すＱＦＮの内部構造を封止部および半導体チップを透過して示す平面図である。
【図１４】（ａ),（ｂ）は図１３に示すＱＦＮの断面の構造を示す図であり、（ａ）は図１３のＦ−Ｆ線に沿った断面の断面図、（ｂ）は図１３のＧ−Ｇ線に沿った断面の断面図である。
【図１５】図５に示すマトリクスフレームの変形例のマトリクスフレームの構造を示す拡大部分平面図である。
【図１６】図５に示すマトリクスフレームの変形例のマトリクスフレームの構造を示す拡大部分平面図である。
【図１７】図５に示すマトリクスフレームの変形例のマトリクスフレームの構造を示す拡大部分平面図である。
【符号の説明】
１  ＱＦＮ（半導体装置）
２  リード
２ａ  肉厚部
２ｂ  肉薄部
３  ボンディングステージ
３ａ  ステージ面
４  吊りリード
４ａ  支持部
４ｂ  露出部
４ｃ  露出面
５  タブ
５ａ  チップ支持面
５ｂ  裏面（反対側の面）
５ｃ  貫通孔
６  段差部（アップセット処理部）
７  パッド（表面電極）
８  半導体チップ
８ａ  主面
８ｂ  裏面（反対側の面）
９  接着剤
１０  ワイヤ（金属細線）
１１  封止用樹脂
１２  封止部
１２ａ  裏面（半導体装置実装側の面）
１３  メッキ部
１４  マトリクスリードフレーム（リードフレーム）
１４ａ  枠部
１５  単位リードフレーム
１６  応力緩和スリット
１７  ガイド孔
１８，１９  ＱＦＮ（半導体装置）
【図１】
0004547086.tif 000002
【図２】
0004547086.tif 000003
【図３】
0004547086.tif 000004
【図４】
0004547086.tif 000005
【図５】
0004547086.tif 000006
【図６】
0004547086.tif 000007
【図７】
0004547086.tif 000008
【図８】
0004547086.tif 000009
【図９】
0004547086.tif 000010
【図１０】
0004547086.tif 000011
【図１１】
0004547086.tif 000012
【図１２】
0004547086.tif 000013
【図１３】
0004547086.tif 000014
【図１４】
0004547086.tif 000015
【図１５】
0004547086.tif 000016
【図１６】
0004547086.tif 000017
【図１７】
0004547086.tif 000018